Podtech/llm-jp-corpus-v4-ja_patent huggingface dataset:
【手続補正書】
【提出日】平成15年6月16日(2003.6.16)
【手続補正１】
【補正対象書類名】明細書
【補正対象項目名】特許請求の範囲
【補正方法】変更
【補正の内容】
【特許請求の範囲】
【請求項１】
濃厚な水性炭化水素エマルジョンであって、以下：
（１）完全に処方された水性炭化水素燃料エマルジョン中に含まれる炭化水素燃料の総量のうちの一部；
（２）完全に処方された該水性炭化水素燃料エマルジョン中に含まれる乳化剤のうちの実質的に全部；および
（３）完全に処方された該水性炭化水素燃料エマルジョン中に含まれる水のうちの実質的に全部、
を含み、完全に処方された水性炭化水素燃料エマルジョンを作製するために使用される、１ミクロン以下の平均粒子液滴サイズを有する、安定な濃厚な水性炭化水素エマルジョンを生じ、ここで、
該乳化剤が、以下：
（ｉ）少なくとも１種のヒドロカルビル置換カルボン酸アシル化剤とアンモニアまたはアミンとを反応させることによって作製される、少なくとも１種の燃料可溶性生成物であって、該ヒドロカルビル置換アシル化剤が、約５０〜約５００個の炭素原子を有する、燃料可溶性生成物；
（ｉｉ）約１〜約４０の親水性−親油性均衡物を有する、イオン性化合物もしくは非イオン性化合物のうちの少なくとも１種；
（ｉｉｉ）（ｉ）および（ｉｉ）の混合物；または
（ｉｖ）水溶性化合物であって、アミン塩、アンモニウム、アジド化合物、ニトロ化合物、硝酸エステル、ニトロアミン、アルカリ金属塩、アルカリ土類金属塩、および（ｉ）、（ｉｉ）、もしくは（ｉｉｉ）と組み合わされたそれらの混合物からなる群から選択される、水溶性化合物、
からなる群から選択され、そして
該水が、水、不凍水、硝酸アンモニウム水、またはそれらの組み合わせからなる群から選択される、
濃厚な水性炭化水素エマルジョン。
【請求項２】
前記乳化剤の総量および前記水の総量が、前記濃厚物中に含まれる、請求項１に記載の濃厚物。
【請求項３】
請求項１に記載の濃厚物であって、前記炭化水素燃料の一部が、完全に処方された前記水性炭化水素燃料のうち約０．５重量％〜７０重量％の範囲であり；前記乳化剤の総量が、完全に処方された該水性炭化水素燃料エマルジョンの約０．０５重量％〜２０重量％の範囲であり；そして前記水の総量が、完全に処方された該水性炭化水素燃料エマルジョンの約５重量％〜約５０重量％の範囲である、濃厚物。
【請求項４】
前記濃厚な水性炭化水素エマルジョンが、約０．１ミクロン〜約１ミクロンの範囲の平均粒子液滴サイズを有する、請求項１に記載の濃厚物。
【請求項５】
請求項１に記載の濃厚物であって、該濃厚物が、セタン向上剤、有機溶媒、不凍剤、界面活性剤、および他の公知の燃料添加剤ならびにそれらの組み合わせからなる群から選択される、添加剤をさらに含む、濃厚物。
【請求項６】
濃厚な水性炭化水素エマルジョンから水性炭化水素燃料エマルジョンを製造するためのプロセスであって、以下：
（１）濃厚な水性炭化水素燃料エマルジョンを調製する工程であって、以下：
（ａ）完全に処方された水性炭化水素燃料エマルジョンの約０．５重量％〜約７０重量％の範囲における炭化水素燃料の一部；
（ｂ）完全に処方された該水性炭化水素燃料エマルジョンの約０．０５重量％〜約２０重量％の範囲における乳化剤の実質的に全部；および
（ｃ）完全に処方された該水性炭化水素燃料エマルジョンの約５重量％〜約５０重量％の範囲における水の実質的に全部、
を乳化して、１ミクロン未満の平均直径を有する水粒径を有する、濃厚な水性炭化水素燃料エマルジョンを形成する、工程；ならびに
（２）完全に処方された該水性炭化水素燃料エマルジョン中の炭化水素燃料の総量のうち、約９５重量％〜約５０重量％の範囲の該炭化水素燃料の残りの部分で、該濃厚な水性炭化水素燃料エマルジョンを希釈する、工程、
を包含し、１ミクロン以下の平均粒子液滴サイズを有する、安定な完全に処方された水性炭化水素燃料エマルジョンを生じ、ここで、
該乳化剤が、以下：
（ｉ）少なくとも１種のヒドロカルビル置換カルボン酸アシル化剤とアンモニアまたはアミンとを反応させることによって作製される、少なくとも１種の燃料可溶性生成物であって、該ヒドロカルビル置換アシル化剤が、約５０〜約５００個の炭素原子を有する、燃料可溶性生成物；
（ｉｉ）約１〜約４０の親水性−親油性均衡物を有する、イオン性化合物もしくは非イオン性化合物のうちの少なくとも１種；
（ｉｉｉ）（ｉ）および（ｉｉ）の混合物；または
（ｉｖ）水溶性化合物であって、アミン塩、アンモニウム塩、アジド化合物、ニトロ化合物、硝酸エステル、ニトロアミン、アルカリ金属塩、アルカリ土類金属塩、および（ｉ）、（ｉｉ）、もしくは（ｉｉｉ）と組み合わされたそれらの混合物からなる群から選択される、水溶性化合物、
からなる群から選択され、
該水が、水、不凍剤、硝酸アンモニウム、およびそれらの組み合わせからなる群から選択され、そして
完全に処方された該水性炭化水素燃料エマルジョンが、約５０重量％〜約９９重量％の液体炭化水素燃料および約１重量％〜約５０重量％の水を含む、プロセス。
【請求項７】
請求項６に記載のプロセスであって、前記乳化剤の総量が、完全に処方された前記水性炭化水素燃料生成物の約０．１重量％〜約２０重量％の範囲で、前記濃厚な水性炭化水素エマルジョンを作製するために使用され；ここで、前記水が、完全に処方された水性炭化水素燃料の約５重量％〜約５０重量％の範囲で添加され；そして添加剤が、完全に処方された該水性炭化水素燃料エマルジョンの約０．０００１重量％〜約１０重量％の範囲で、該濃厚な水性炭化水素エマルジョンに添加され；そして該添加剤は、セタン向上剤、有機溶媒、不凍剤、界面活性剤、他の公知の燃料添加剤およびそれらの組み合わせからなる群から選択される、プロセス。
【請求項８】
完全に処方された前記水性炭化水素燃料エマルジョン中の約９５重量％〜約４０重量％の範囲の残りの量の炭化水素燃料部分で、前記濃厚な水性炭化水素燃料エマルジョンを希釈する工程をさらに包含する、請求項６に記載のプロセス。
【請求項９】
前記希釈工程が、混合、ブレンド、攪拌、乳化、およびそれらの組み合わせから選択される方法により実施される、請求項６に記載のプロセス。
【請求項１０】
前記プロセスが、バッチプロセス、連続プロセス、またはそれらの組み合わせからなる群から選択される、請求項６に記載のプロセス。
【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】  吸上作用のある繊維、蒸発作用のある繊維、または吸上作用のある繊維と蒸発作用のある繊維の組合せを含む繊維状成分を含んでなる、皮膚に局所的に適用するための化粧品または医薬組成物。
【請求項２】  前記吸上作用のある繊維が疎水性である請求項１に記載の組成物。
【請求項３】  前記吸上作用のある疎水性繊維がナイロン、ポリエステル、ポリプロピレンおよびこれらのブレンドからなる群から選ばれるものであり、好ましくは前記線維はナイロンである、請求項２に記載の組成物。
【請求項４】  前記吸上作用のある繊維が疎水性に処理されたものである請求項２または３に記載の組成物。
【請求項５】  前記蒸発作用のある繊維が親水性である請求項１〜４のいずれか１項に記載の組成物。
【請求項６】  前記親水性繊維が、ポリエチレン、ポリプロピレン、アクリル、ナイロン、アラミド、レーヨン、綿、ウール、絹およびこれらのブレンドからなる群から選ばれるものであり、好ましくは前記線維はナイロンである、請求項５に記載の組成物。
【請求項７】  前記蒸発作用のある繊維が親水性に処理されたものである請求項５または６に記載の組成物。
【請求項８】  前記吸上作用のある繊維、蒸発作用のある繊維、または吸上作用のある繊維と蒸発作用のある繊維の両線維がマイクロデニールである請求項１〜７のいずれか１項に記載の組成物。
【請求項９】  前記繊維が約０．００５〜約１．０質量％の量で存在する請求項１〜８のいずれか１項に記載の組成物。
【請求項１０】  １種以上の顔料を約０．１〜約３０質量％の量でさらに含む請求項１〜９のいずれか１項に記載の組成物。
【請求項１１】  皮膜形成剤を約０．１〜約２０質量％の量で含んでなり、好ましくは前記皮膜形成剤はトリメチルシロキシシリケートである、請求項１〜１０のいずれか１項に記載の組成物。
【請求項１２】  ポリウレタンを含んでなる請求項１〜１１のいずれか１項に記載の組成物。
【請求項１３】  ステアリン酸金属塩を含む請求項１〜１２のいずれか１項に記載の組成物。
【請求項１４】  リップスティックまたはファンデーションである請求項１〜１３のいずれか１項に記載の組成物。
【請求項１５】  皮膚からの油および水分の除去を促進することを特徴とする、請求項１〜１４のいずれか１項に記載の組成物。
【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
（１）以下の式：
【化１】
2002521413.tif 000001
を持つアクリル酸／アルキルアクリレートコポリマー（式中、Ｒ５１は独立に水素または１〜３０炭素のアルキルであり、ここで少なくとも１つのＲ５１は水素であり、Ｒ５２は前に定義された通りであり、ｎ、ｎ’、ｍおよびｍ’はｎ＋ｎ’＋ｍ＋ｍ’が約４０〜約１００である整数であり、ｎ”は１〜約３０の整数であり、そしてλは該コポリマーが約５００，０００〜約３，０００，０００の分子量を持つように定義される）；
（２）両性コンディショニングポリマー；および
（３）水性キャリヤー
を含んでいるヘアコンディショニング組成物。
【請求項２】
保湿剤を更に含んでいる請求項１に記載のヘアコンディショニング組成物。
【請求項３】
シリコーンコンディショニング剤を更に含んでいる請求項１に記載のヘアコンディショニング組成物。
【請求項４】
追加的な粘度調整剤を更に含んでいる請求項１に記載のヘアコンディショニング組成物。
【請求項５】
可視粒子を更に含んでいる請求項１に記載のヘアコンディショニング組成物。
【請求項６】
ＵＶ吸収剤を更に含んでいる請求項１に記載のヘアコンディショニング組成物。
【請求項７】
光学的光沢剤を更に含んでいる請求項１に記載のヘアコンディショニング組成物。
【請求項８】
ハーブ抽出物を更に含んでいる請求項１に記載のヘアコンディショニング組成物。
【請求項９】
追加的なコンディショニング剤を更に含んでいる請求項１ないし８のいずれか１項に記載のヘアコンディショニング組成物。
【請求項１０】
（１）約０．０１重量％から約１０重量％までの以下の式：
【化２】
2002521413.tif 000002
を持つアクリル酸／アルキルアクリレートコポリマー（式中、Ｒ５１は独立に水素または１〜３０炭素のアルキルであり、ここで少なくとも１つのＲ５１は水素であり、Ｒ５２は前に定義された通りであり、ｎ、ｎ’、ｍおよびｍ’はｎ＋ｎ’＋ｍ＋ｍ’が約４０〜約１００である整数であり、ｎ”は１〜約３０の整数であり、そしてλは該コポリマーが約５００，０００〜約３，０００，０００の分子量を持つように定義される）；
（２）約０．０１重量％から約１０重量％までの両性コンディショニングポリマー；
（３）約０．１重量％から約２０重量％までの保湿剤；
（４）約０．１重量％から約６０重量％までのシリコーン化合物；
（５）約０．０１重量％から約１０重量％までの追加的な粘度調整剤；および
（６）水性キャリヤー
を含んでいるヘアコンディショニング組成物。
【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
録画のためにリモートアクセスリンク（１９）を介して番組を選択するシステムであって、
ローカル双方向テレビ番組ガイドが実現される双方向テレビ番組ガイド機器（１７）であって、該双方向テレビ番組ガイド機器（１７）が、ユーザの家庭内に置かれたユーザテレビ機器（２２）を含む、双方向テレビ番組ガイド機器（１７）と、
リモートアクセス双方向テレビ番組ガイドが実現されているユーザの家庭の外部に置かれてたリモート番組ガイドアクセスデバイス（２４）であって、該リモートアクセス双方向テレビ番組ガイドが、該リモートアクセスリンク（１９）を介して該ローカル双方向テレビ番組ガイドによって録画用の番組をリモートに選択する機会を該ユーザに提供するように構築される、リモート番組ガイドアクセスデバイス（２４）と、
該ローカル双方向テレビ番組ガイドが、該双方向テレビ番組ガイド機器（１７）で、該ユーザによって選択された該テレビ番組を録画するように構築されることと、
を特徴とする、システム。
【請求項２】
前記ローカル双方向テレビ番組ガイドが、前記ユーザテレビ機器（２２）上で、前記ユーザによって前記選択されたテレビ番組を録画するように構築される、請求項１に記載のシステム。
【請求項３】
前記ローカル双方向テレビ番組ガイドが、テレビ配信設備（１６）で、前記ユーザによって前記選択されたテレビ番組を録画するように構築される、請求項１に記載のシステム。
【請求項４】
録画のためにリモートアクセスリンク（１９）を介して番組を選択する方法であって、
ユーザの家庭の外部に置かれるリモート番組ガイドアクセスデバイス（２４）上で実現されるリモートアクセス双方向テレビ番組ガイドで、該ユーザの家庭内に置かれたユーザテレビ機器（２２）を有する双方向テレビ番組ガイド機器（１７）上で実現されるローカル双方向テレビ番組ガイドによって、該リモートアクセスリンク（１９）を介して録画用の番組を選択する機会を前記ユーザに提供する工程と、
該双方向テレビ番組ガイド機器（１７）の該ローカル双方向テレビ番組ガイドで、該ユーザによって選択された該番組を録画する工程と、
を包含する、方法。
【請求項５】
前記双方向テレビ番組ガイド機器（１７）の前記ローカル双方向テレビ番組ガイドで、前記ユーザによって選択された前記番組を録画する工程が、前記ユーザテレビ機器（２２）上で該番組を録画する工程を包含する、請求項４に記載の方法。
【請求項６】
前記双方向テレビ番組ガイド機器（１７）の前記ローカル双方向テレビ番組ガイドで、前記ユーザによって選択された前記番組を録画する工程が、テレビ配信設備（１６）で、該番組を録画する工程を包含する、請求項４に記載の方法。
【請求項７】
録画のためにリモートアクセスリンク（１９）を介して番組を選択するシステムであって、
ユーザの家庭の外部に置かれたリモート番組ガイドアクセスデバイス（２４）上で実現されるリモートアクセス双方向テレビ番組ガイドで、該ユーザの家庭内に置かれたユーザテレビ機器（２２）を有する双方向テレビ番組ガイド機器（１７）上で実現されるローカル双方向テレビ番組ガイドによって、該リモートアクセスリンク（１９）を介して録画用の番組を選択する機会を該ユーザに提供する手段と、
該双方向テレビ番組ガイド機器（１７）の該ローカル双方向テレビ番組ガイドで、該ユーザによって選択された該番組を録画する手段と、
を特徴とする、システム。
【請求項８】
前記双方向テレビ番組ガイド機器（１７）の前記ローカル双方向テレビ番組ガイドで、前記ユーザによって選択された前記番組を録画する前記手段が、前記ユーザテレビ機器（２２）上で該番組を録画する手段を含む、請求項７に記載のシステム。
【請求項９】
前記双方向テレビ番組ガイド機器（１７）の前記ローカル双方向テレビ番組ガイドで、前記ユーザによって選択された前記番組を録画する前記手段が、テレビ配信設備（１６）で、該番組を録画する手段を含む、請求項７に記載のシステム。
【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
ＣＤ５５の少なくとも１つのヒトのアミノ酸一次構造断片および腫瘍特異的な糖構造を有する単離された糖タンパク質であって、該糖タンパク質は胃癌細胞上に存在するが、正常細胞上には存在しないことを特徴とする単離された糖タンパク質。
【請求項２】
ＣＤ５５の少なくとも１つのヒトのアミノ酸一次構造断片および腫瘍特異的な糖構造を有する単離された糖タンパク質であって、該糖タンパク質は、細胞上に存在しかつ前記糖構造に特異的な抗体によって結合されるのであれば該細胞のアポトーシスを引き起こすことを特徴とする単離された糖タンパク質。
【請求項３】
ＳＤＳ−ポリアクリルアミドゲル電気泳動において８２ｋＤの見掛けの分子量を示す、請求項１または２記載の単離された糖タンパク質。
【請求項４】
膜調製物をヒトの腺癌細胞系統２３１３２の細胞から製造し、かつその調製物から糖タンパク質をサイズ排除クロマトグラフィーおよび／またはアニオン交換クロマトグラフィーによって得る、請求項１から３までのいずれか１項記載の単離された糖タンパク質の生産方法。
【請求項５】
物質と糖タンパク質との結合能力を測定する試験法における、請求項１から３までのいずれか１項記載の単離された糖タンパク質の使用。
【請求項６】
糖構造との結合能力を測定する、請求項５記載の使用。
【請求項７】
特に腫瘍細胞において、試験される物質のアポトーシス誘導能力を測定する、請求項５または６記載の使用。
【請求項８】
試験される物質の、糖タンパク質ＣＤ５５に媒介されるリン酸化カスケードを誘導する能力を測定する、請求項５から７までのいずれか１項記載の使用。
【請求項９】
単離された糖タンパク質を、単離形において、細胞抽出物、特に膜調製物としてか、または完全な細胞、特にヒトの腺癌細胞系統２３１３２又は３０５１の形において使用する、請求項５から８までのいずれか１項記載の使用。
【請求項１０】
特異的に腫瘍細胞に結合可能な物質を同定するための、請求項５から９までのいずれか１項記載の使用。
【請求項１１】
腫瘍診断および／または腫瘍治療のための薬剤の同定のための、請求項１０記載の使用。
【請求項１２】
試験される物質が薬理学的に認容性である、請求項５から１１までのいずれか１項記載の使用。
【請求項１３】
試験される物質を、ペプチド、ペプチド様作用物、抗体、抗体断片および抗体誘導体から選択する、請求項１２記載の使用。
【請求項１４】
腫瘍の治療のための方法における請求項１から３までのいずれか１項記載の糖タンパク質の使用において、腫瘍細胞上に前記の糖タンパク質が存在することで該細胞を抗腫瘍剤に感受性にすることを特徴とする使用。
【請求項１５】
腫瘍の診断のための方法における請求項１から３までのいずれか１項記載の糖タンパク質の使用において、試料中での前記糖タンパク質の存在は該試料が腫瘍から得られたことを示していることを特徴とする使用。
【請求項１６】
前記の糖構造への前記の抗体の結合がポリ（ＡＤＰ−リボース）ポリメラーゼ（ＰＡＲＰ）の分解を誘導しない、請求項２又は３記載の糖タンパク質。
【請求項１７】
前記の抗腫瘍剤が腫瘍細胞における細胞周期停止を誘導する、請求項１４記載の使用。
【請求項１８】
前記の抗腫瘍剤が腫瘍細胞におけるアポトーシスを誘導する、請求項１４記載の使用。
【請求項１９】
前記の抗腫瘍剤を標識基又はエフェクター基と複合させる、請求項１４、１７又は１８のいずれか１項記載の使用。
【請求項２０】
請求項２又は３記載の単離された糖タンパク質であって、前記糖構造への前記の抗体の結合がサイトケラチン１８の分解をもたらすことを特徴とする糖タンパク質。
【請求項２１】
請求項２又は３記載の単離された糖タンパク質であって、前記糖構造への前記の抗体の結合がｃ−ｍｙｃ発現の増大をもたらすことを特徴とする糖タンパク質。
【請求項２２】
請求項２又は３記載の単離された糖タンパク質であって、前記糖構造への前記の抗体の結合がトポイソメラーゼＩＩα発現の低下をもたらすことを特徴とする糖タンパク質。
【請求項２３】
請求項２又は３記載の単離された糖タンパク質であって、前記糖構造への前記の抗体の結合が細胞内Ｃａ２＋濃度の増大をもたらすことを特徴とする糖タンパク質。
【請求項２４】
前記のリン酸カスケードがチロシンリン酸化カスケードである、請求項８記載の使用。
【請求項２５】
分子量６０ｋＤ、７５ｋＤ又は１１０ｋＤを有するタンパク質をチロシン残基においてリン酸化する、請求項８又は２４記載の使用。
【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
酵素的生成性ＲＯＭ媒介性酸化的損傷により引き起こされるかまたは悪化する症状を蒙った患者を治療するための薬であって、酵素的生成性反応性酸素代謝物質の生成または放出を抑制するのに有効な化合物を含む治療薬。
【請求項２】
前記反応性酸素代謝物質は、構成的に放出される請求項１記載の治療薬。
【請求項３】
前記反応性酸素代謝物質は、呼吸バーストに応答して放出される請求項１記載の治療薬。
【請求項４】
前記症状は、ＡＲＤＳ、虚血または再還流障害、感染性疾患、自己免疫または炎症性疾患、および神経変性疾患から成る群から選択される、請求項１記載の治療薬。
【請求項５】
前記化合物は、ヒスタミン、Ｈ2受容体アゴニスト、ＮＡＤＰＨオキシダーゼ阻害剤、セロトニンおよびセロトニンアゴニストから成る群から選択される、請求項１記載の治療薬。
【請求項６】
前記患者は有効量のＲＯＭスカベンジャーを投与される、請求項５に記載の治療薬。
【請求項７】
前記ＲＯＭスカベンジャーは、ＲＯＭのＲＯＭスカベンジャー触媒性分解を生じさせる、請求項６記載の治療薬。
【請求項８】
前記スカベンジャーは、カタラーゼ、グルタチオンペルオキシダーゼ、アスコルベートペルオキシダーゼ、スーパーオキシドジスムターゼ、グルタチオンペルオキシダーゼ、アスコルベートペルオキシダーゼ、ビタミンＡ、ビタミンＥおよびビタミンＣから成る群から選択される、請求項６記載の治療薬。
【請求項９】
呼吸バーストに応答して放出される酵素的生成性ＲＯＭがＲＯＭ媒介性酸化的損傷を生成する症状を有すると同定され、食細胞生産性のＲＯＭ媒介性酸化的損傷が起こり得る疾患状態の患者を治療するための薬であって、
ＲＯＭの生成または放出を抑制するために有効な化合物を含む治療薬。
【請求項１０】
前記症状は、ＡＲＤＳ、虚血または再還流障害、感染性疾患、自己免疫または炎症性疾患、および神経変性疾患から成る群から選択される、請求項９記載の治療薬。
【請求項１１】
前記患者は、ヒスタミン、Ｈ2受容体アゴニスト、セロトニン、セロトニンアゴニストおよびＮＡＤＰＨオキシダーゼ阻害剤から成る群から選択される化合物を投与される、請求項１０に記載の治療薬。
【請求項１２】
前記患者は、有効量のＲＯＭスカベンジャーを投与される、請求項１１記載の治療薬。
【請求項１３】
前記ＲＯＭスカベンジャーは、反応性酸素代謝物質の反応性酸素代謝物質スカベンジャー触媒性分解を生じさせる、請求項１２記載の治療薬。
【請求項１４】
前記反応性酸素代謝物質スカベンジャーは、カタラーゼ、スーパーオキシドジスムターゼ、グルタチオンペルオキシダーゼおよびアスコルベートペルオキシダーゼから成る群から選択される化合物を含む、請求項１３記載の治療薬。
【請求項１５】
製薬上許容可能な担体、酵素的生成性ＲＯＭの生成または放出を抑制するために有効な化合物、およびＲＯＭを捕捉するために有効な化合物を含有する製剤組成物。
【請求項１６】
前記ＲＯＭの生成または放出を抑制するために有効な前記化合物は、ヒスタミン、Ｈ2受容体アゴニスト、セロトニン、セロトニンアゴニスト、およびＮＡＤＰＨオキシダーゼ阻害剤から成る群から選択される、請求項１５記載の製剤組成物。
【請求項１７】
前記ＲＯＭを捕捉するために有効な化合物は、カタラーゼ、グルタチオンペルオキシダーゼ、アスコルベートペルオキシダーゼ、スーパーオキシドジスムターゼ、グルタチオンペルオキシダーゼ、アスコルベートペルオキシダーゼ、ビタミンＡ、ビタミンＥ、およびビタミンＣから成る群から選択される、請求項１５記載の製剤組成物。
【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
化学反応を行うための装置において、該装置が、反応室（３）として作用する多数の貫通孔が形成されている反応用スライダ（２）と、該反応用スライダ（２）の反応室（３）が開口する側に配置され、かつ連続して延びる制御オリフィス（１５）を有する選択用スライダ（９）とを具備し、該選択用スライダ（９）が反応用スライダ（２）に対し相対運動可能であり、該装置が、反応スライダ（２）の選択用スライダ（９）と反対側に配置された化学品用スライダ（１７）を具備し、化学品用スライダ（１７）の選択用スライダを指向する表面に、化学品を供給するための供給孔（１８）が開口し、反応用スライダ（２）の反応室（３）と化学品用スライダ（１７）の供給孔（１８）とが軌道に沿って配置されており、供給孔（１８）のうちの一つと反応室（３）のうちの一つと制御オリフィス（１５）とが整列されるように、反応用スライダ（２）と選択用スライダ（９）とが、前記軌道の中心を通る共通の回転軸線（１６）回りに回転運動可能であるようにし、それにより、反応室（３）に予め定められた試薬を供給するための貫通接続部が形成可能であるようにし、前記装置が、スライダ（２，９，１７）の接触面をシールするためにスライダ（２，９，１７）に力を印加するための機構を備え、該機構が、スライダ（２，９，１７）の中心の開口を通って延びる接続ロッド（３９）に作用し、それにより、スライダに圧力を印加するための前記機構によって接続ロッド（３９）に印加される力が回転軸線（１６）の領域で作用するようにした装置。
【請求項２】
反応用スライダ（２）及び選択用スライダ（９）が板状に形成されていることを特徴とする請求項１に記載の装置。
【請求項３】
選択用スライダ（９）及び反応用スライダ（２）が、互いに独立して駆動可能であることを特徴とする請求項１又は２に記載の装置。
【請求項４】
スライダ（２，９，１７）に圧力を印加するための前記機構が電気的に駆動可能であることを特徴とする請求項１から３までのいずれか一項に記載の装置。
【請求項５】
スライダに圧力を印加するための前記機構が、組み合わせ式ばね・磁石機構であり、スライダ（２，９，１７）が押さえ板（３７）と定置されている駆動ハウジング（２３）との間に配置された状態で、ばね・磁石機構が圧力ピストン（４０）を押さえ板（３７）に押しつけることを特徴とする請求項４に記載の装置。
【請求項６】
定置されている筒形の駆動ハウジング（２３）と、互いに入れ子式に同軸配置された２つの中空シャフト（２４，２５）とを備えた駆動ユニット（２２）を具備し、反応用スライダ（２）及び選択用スライダ（９）をこれら中空シャフトに回転不能に装着可能であることを特徴とする請求項１から５までのいずれか一項に記載の装置。
【請求項７】
接続ロッド（３９）が中空シャフト（２４，２５）を通って延び、かつ圧力ピストン（４０）から最も遠い端部でロッカーアーム（４２）に枢動可能に接続され、該ロッカーアーム（４２）がその他端において、スライダ（２，９，１７）に圧力を印加するための前記装置に枢動可能に接続されていることを特徴とする請求項６に記載の装置。
【請求項８】
一つ又は複数の前記供給孔（１８）が化学品供給管路（１９）に接続され、該化学品供給管路が弁アセンブリ（５４）に接続され、互いに異なる少なくとも２つの化学品が該弁アセンブリを介し供給孔（１８）に供給可能になっていることを特徴とする請求項１から７までのいずれか１項に記載の装置。
【請求項９】
弁アセンブリ（５４）が少なくとも２つの弁（５５）を有し、それぞれの弁が試薬の供給を制御することを特徴とする請求項８に記載の装置。
【請求項１０】
弁アセンブリ（５４）が多方向弁（５６）を有し、供給孔（１８）が２つの分岐管路（５７，５８）のうちの一方と連通するように、該多方向弁が供給孔（１８）と少なくとも２つの分岐管路（５７，５８）との間で交互に切り換えられることを特徴とする請求項８に記載の装置。
【請求項１１】
多方向弁（５６）が化学品用スライダ（１７）上に直接的に配置されることを特徴とする請求項１０に記載の装置。
【請求項１２】
計量された試薬を供給可能な複数の反応室（３）を有する、オリゴヌクレオチド合成を行うための請求項１から１１までのいずれか１項に記載の装置において、反応室（３）毎にウィンドウを備えたディスプレイユニットが設けられ、特定の反応室（３）で行われる反応の質についての有意値が個々のウィンドウにそれぞれ表示されることを特徴とする装置。
【請求項１３】
反応室内で生成される中間生成物及び最終生成物の光透過性を検出するために、光学センサ（５１）が設けられていることを特徴とする請求項１２に記載の装置。
【請求項１４】
光学センサ（５１）が選択用スライダ（９）のすぐ隣りに取り付けられていることを特徴とする請求項１３に記載の装置。
【請求項１５】
反応についての有意値が、中間生成物及び最終生成物の光透過性測定の測定値の相関係数Ｒであることを特徴とする請求項１２から１４までのいずれか一項に記載の装置。
【請求項１６】
反応についての有意値が、中間生成物及び最終生成物の光透過性測定の測定値の相関係数Ｒの絶対値であることを特徴とする請求項１５に記載の装置。
【請求項１７】
相関値の計算において、最も新しい値がその都度、他の測定値よりも重く重み付けされることを特徴とする請求項１５又は１６に記載の装置。
【請求項１８】
請求項１から１７までのいずれか一項に記載の装置を駆動する方法において、前記スライダを特定の箇所でかつ特定の力で互いに押し合わせ、スライダを移動させるときに、圧縮力を減じるか又は完全に取り除くことを特徴とする方法。
【請求項１９】
請求項１から１８までのいずれか一項に記載の装置を複数備えたアセンブリにおいて、複数の貯蔵容器を有する、試薬のための共通の供給ユニットを備え、これら貯蔵容器がレベル指示器を備え、レベル監視装置が個々の貯蔵容器の高さレベルを自動的に監視するようになっていることを特徴とするアセンブリ。
【請求項２０】
共通の供給ユニットがガス及び電力を供給するようにも構成されていることを特徴とする請求項１９に記載のアセンブリ。
【手続補正２】
【補正対象書類名】明細書
【補正対象項目名】０００９
【補正方法】変更
【補正の内容】
【０００９】
この課題は請求項１の特徴を有する装置によって解決される。有利に発展された構成は従属請求項に記載されている。


【手続補正３】
【補正対象書類名】明細書
【補正対象項目名】００１４
【補正方法】変更
【補正の内容】
【００１４】
さらに別の好ましい実施例によれば、一つ又は複数の前記供給孔が化学品供給管路に接続され、化学品供給管路が弁アセンブリに接続され、互いに異なる少なくとも２つの化学品が弁アセンブリを介し供給孔に供給可能になっている装置を提供する。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】  噴射剤中に分散された薬剤の粒子と１ミクロン未満の質量メジアン径を有する増量剤とを含む、薬剤エアロゾル調合物。
【請求項２】  前記増量剤が、アスコルビン酸、糖類、多糖類、アミノ酸、有機および無機塩、尿素ならびにプロピリオドンから選択される、請求項１に記載の薬剤エアロゾル調合物。
【請求項３】  前記増量剤が、乳糖、ＤＬ−アラニン、グルコース、Ｄ−ガラクトース、Ｄ（＋）トレハロース二水和物、蔗糖、麦芽糖、Ｄ（＋）ラフィノース五水和物、サッカリンナトリウム、澱粉、改質セルロース、デキストリン、デキストラン、グリシン、塩化ナトリウム、炭酸カルシウム、酒石酸ナトリウムおよび乳酸カルシウムから選択される、請求項２記載の薬剤エアロゾル調合物。
【請求項４】  前記増量剤が乳糖である、請求項１〜３のいずれか一項に記載の薬剤エアロゾル調合物。
【請求項５】  前記増量剤が３００ｎｍ以下の質量メジアン径を有する、請求項１〜４のいずれか一項に記載の薬剤エアロゾル調合物。
【請求項６】  薬剤：増量剤の前記重量比が１：５〜１：４０の範囲にある、請求項１〜５のいずれか一項に記載の薬剤エアロゾル調合物。
【請求項７】  前記薬剤がフォルモテロールである、請求項１〜６のいずれか一項に記載の薬剤エアロゾル調合物。
【請求項８】  前記噴射剤がＨＦＡ  １３４ａ、ＨＦＡ  ２２７およびそれらの混合物から選択される、請求項１〜７のいずれか一項に記載の薬剤エアロゾル調合物。
【請求項９】  トリオレイン酸ソルビタン、オレイン酸およびオリゴ乳酸誘導体から選択される界面活性剤をさらに含む、請求項１〜８のいずれか一項に記載の薬剤エアロゾル調合物。
【請求項１０】  エタノールをさらに含む、請求項１〜９のいずれか一項に記載の薬剤エアロゾル調合物。
【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】  炭化物粒子の集合体と、立方晶窒化ホウ素粒子の集合体と、結合されて互いに密着した焼結済み形態になっている結合用の金属又は合金とを含有する研磨性及び耐磨耗性の材料であって、
前記材料の立方晶窒化ホウ素粒子含有量が１０重量％〜１８重量％であり；
前記立方晶窒化ホウ素の粒径が２０μｍ以下であり；且つ
前記材料が六方晶窒化ホウ素を実質的に含有していない；
上記材料。
【請求項２】  炭化物粒子が、炭化タングステン、炭化タンタル、炭化チタン、炭化ニオブ、及びそれらの混合物から成る群から選ばれる、請求項１に記載の材料。
【請求項３】  結合用金属又は合金が、コバルト、鉄、ニッケル、及びこれら金属の１種以上を含有する諸合金から成る群から選ばれる、請求項１又は２に記載の材料。
【請求項４】  材料の結合用金属又は合金含量が、材料の３重量％〜１５重量％である、請求項１〜３のいずれか１項に記載の材料。
【請求項５】  研磨性及び耐磨耗性の材料を製造する方法において、分離している炭化物粒子の集合体と立方晶窒化ホウ素粒子の集合体との混合物を与える工程であって、該立方晶窒化ホウ素粒子が、前記材料の立方晶窒化ホウ素含有量が１０重量％〜１８重量％となるような量で該混合物中に存在し、しかも、該立方晶窒化ホウ素粒子が２０μｍ以下の粒径を有する該工程と；前記混合物を高温高圧条件に付す工程であって、該高温高圧条件で前記立方晶窒化ホウ素が結晶学的に安定しており、しかも、前記混合物を結合して互いに密着した焼結済み材料にすることのできる結合用の金属又は合金の存在下、該高温高圧条件で六方晶窒化ホウ素が実質的に形成されない該工程と；を包含する上記方法。
【請求項６】  炭化物粒子は、炭化タングステン、炭化タンタル、炭化チタン、炭化ニオブ、及びそれらの混合物から成る群から選ばれる粒子である請求項５記載の方法。
【請求項７】  結合用金属又は合金は、コバルト、鉄、ニッケル、及びこれら金属の１種以上を含有する諸合金から成る群から選ばれる、請求項５又は６に記載の方法。
【請求項８】  材料の結合用金属又は合金含量は、該材料の３重量％〜１５重量％である、請求項５〜７のいずれか１項に記載の方法。
【請求項９】  結合用金属又は合金含量は、粉末形態で与えるか；又は、後で熱分解若しくは還元されて微細分散済み金属になる塩前駆体、有機前駆体若しくは金属酸化物の形態で添加する；請求項５〜８のいずれか１項に記載の方法。
【請求項１０】  結合用金属又は合金は、分離している炭化物粒子の集合体及び立方晶窒化ホウ素粒子の集合体と混合し；次いで、その混合物を焼結する；請求項５〜９のいずれか１項に記載の方法。
【請求項１１】  結合用金属又は合金は、分離している炭化物粒子の集合体及び立方晶窒化ホウ素粒子の集合体と混合し；次いで、その混合物を常温圧縮して、互いに弱く密着した物体を造り；次いで、前記物体を焼結する；請求項５〜９のいずれか１項に記載の方法。
【請求項１２】  結合用金属又は合金は、分離している炭化物粒子の集合体と立方晶窒化ホウ素粒子の集合体の混合物に隣接する別個の層の形態で供給し、前記混合物を高温高圧条件に付す時、浸透させる、請求項５〜９のいずれか１項に記載の方法。
【請求項１３】  高温高圧条件は、１２００℃〜１６００℃の温度、且つ、３０〜７０キロバールの圧力である、請求項５〜１２のいずれか１項に記載の方法。
【請求項１４】  木材、及び他のリグノセルロース性材料から選ばれる加工物を研磨する方法において、炭化物粒子の集合体と、立方晶窒化ホウ素粒子の集合体と、結合されて互いに密着した焼結済み形態になる結合用の金属又は合金とを含有する研磨性及び耐磨耗性材料で構成されるツール要素又はツールインサートを有するツールを与える工程であって、該研磨性及び耐磨耗性材料の立方晶窒化ホウ素含有量が１０重量％〜１８重量％であり、該立方晶窒化ホウ素の粒径が２０μｍ以下であり、しかも、該研磨性及び耐磨耗性材料が六方晶窒化ホウ素を実質的に含有しない該工程と；前記加工物を与える工程と；前記ツール要素又はツールインサートを前記加工物に接触させる工程と；研磨方法によって、前記ツール要素又はツールインサートを前記加工物の中に進める工程と；を包含する上記研磨方法。
【請求項１５】  炭化物粒子は、炭化タングステン、炭化タンタル、炭化チタン、炭化ニオブ、及びそれらの混合物から成る群から選ばれる、請求項１４に記載の方法。
【請求項１６】  結合用金属又は合金は、コバルト、鉄、ニッケル、及びこれら金属の１種以上を含有する諸合金から成る群から選ばれる、請求項１４又は１５に記載の方法。
【請求項１７】  研磨性及び耐磨耗性材料の結合用金属又は合金含量は、該材料の３重量％〜１５重量％である請求項１４〜１６のいずれか１項に記載の方法。
【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】  下記式：
ＫiαA／ＫiβA＞２５
（式中、
ＫiαAはＥＲ−αにおけるリガンドのＫi値であり；
ＫiβAはＥＲ−βにおけるリガンドのＫi値である）を満足し、
また、下記構造：
【化１】
2004510815.tif 000001
（式中、
Ｌ1は−Ｃ(＝Ｏ)−、＝Ｃ(Ｒ6)−、−ＣＨ(Ｒ6)−、Ｏ、ＳまたはＮＲaであり；
Ｌ2は＝Ｃ−または−ＣＨ−であり；
Ｌ3は＝Ｃ(Ｒ6)−、−ＣＨ(Ｒ6)−または−Ｃ(＝Ｏ)−であり；
Ｌ4は−Ｃ(＝Ｏ)−、ＣＨ2、Ｏ、ＳまたはＮＲaであり；
ここで：
Ｌ1が−Ｃ(＝Ｏ)−であるならば、Ｌ4はＣＨ2、Ｏ、ＳまたはＮＲaであり；
Ｌ4が−Ｃ(＝Ｏ)−であるならば、Ｌ1はＣＨ2、Ｏ、ＳまたはＮＲaであり；
Ｌ3が−Ｃ(＝Ｏ)−であるならば、Ｌ1は＝Ｃ(Ｒ6)−または−ＣＨ(Ｒ6)−であり、かつＬ4はＯまたはＮＲaであり；
Ｌ1が＝Ｃ(Ｒ6)−であるならば、Ｌ2は＝Ｃ−であり；
Ｌ1が−ＣＨ(Ｒ6)−であるならば、Ｌ2は−ＣＨ−であり；
Ｌ3が＝Ｃ(Ｒ6)−であるならば、Ｌ2は＝Ｃ−であり；そして
Ｌ3が−ＣＨ(Ｒ6)−であるならば、Ｌ2は−ＣＨ−であり；
Ｒaは、各場合に独立して、Ｈまたは(Ｃ1−Ｃ5)アルキルであり；
Ｒ1はフェニル、置換フェニルまたはＨｅｔであり；
Ｒ2は−ＳＲa、−ＮＲaＲa、−ＮＣ(＝Ｏ)Ｒa、−ＮＳ(＝Ｏ)Ｒa、−ＮＳ(＝Ｏ)2Ｒa、ハロゲン、シアノ、ハロＣ1-6アルキル、−ＣＯ2Ｒa、−Ｃ(＝Ｏ)Ｒa、−Ｃ(＝Ｏ)ＮＨＲa、ニトロ、−Ｓ(＝Ｏ)Ｒaおよび−Ｓ(＝Ｏ)2Ｒaから選択され；
Ｒ3、Ｒ4およびＲ5は−Ｒa、−ＯＲa、−ＳＲa、−ＮＲaＲa、−ＮＣ(＝Ｏ)Ｒa、−ＮＳ(＝Ｏ)Ｒa、−ＮＳ(＝Ｏ)2Ｒa、ハロゲン、シアノ、ハロＣ1-6アルキル、−ＣＯ2Ｒa、−Ｃ(＝Ｏ)Ｒa、−Ｃ(＝Ｏ)ＮＨＲa、ニトロ、−Ｓ(＝Ｏ)Ｒaおよび−Ｓ(＝Ｏ)2Ｒaから独立して選択され；
Ｒ6はＨ、Ｃ1-5アルキル、フェニルまたはハロＣ1-6アルキルである）
を有するリガンド、またはその任意の製薬上許容される塩の治療有効量、ならびに製薬上許容される希釈剤または担体を含む、エストロゲン受容体−βに関連する疾患の処置または予防用医薬組成物。
【請求項２】  Ｌ1が−Ｃ(＝Ｏ)−であり；そして
Ｒ1が下記構造：
【化２】
2004510815.tif 000002
（式中、
Ｒ7はＨ、Ｃｌまたはメチルであり；
Ｒ8はＢｒ、Ｃｌ、Ｆ、Ｒa、ＯＲaまたはアリルであり；
Ｒ9はＨ、ＯＨ、ＮＨ2、ＢｒまたはＣｌであり；そして
Ｒ10はＨもしくはメチルであり；または
Ｒ8およびＲ9は結合して−ＯＣＨ2Ｏ−を形成する）
を有する、請求項１に記載の医薬組成物。
【請求項３】  Ｒ4が−ＯＨである、請求項２に記載の医薬組成物。
【請求項４】  リガンドが下記構造：
【化３】
2004510815.tif 000003
（式中、
Ｒ2は−ＳＣＨ3、ハロゲン、シアノおよびハロＣ1-3アルキルから選択され；そして
Ｒ7はＨ、ハロゲンおよびＣＨ3から選択される）
を有する、請求項２に記載の医薬組成物。
【請求項５】  処置すべき疾患がアルツハイマー病、不安症、抑うつ性障害、骨粗鬆症、心臓血管病、慢性関節リウマチおよび前立腺癌から選択される、請求項２に記載の医薬組成物。
【請求項６】  下記構造：
【化４】
2004510815.tif 000004
（式中、Ｒ2は−ＳＣＨ3、ハロゲン、シアノおよびハロＣ1-3アルキルから選択され；そしてＲ7はＨ、ハロゲンおよびＣＨ3から選択される）を有する化合物。
【請求項７】  Ｒ2がハロゲンであり；そしてＲ7がＨである、請求項６に記載の化合物。
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】  モダフィニル化合物を溶液で含んでなる製薬学的組成物。
【請求項２】  組成物が非水性である請求項１の組成物。
【請求項３】  モダフィニル化合物がモダフィニルである請求項１の組成物。
【請求項４】  場合により他の賦形剤を含む請求項１の組成物。
【請求項５】  モダフィニル化合物の溶解度が約５〜約１００ｍｇ／ｍｌである請求項１の組成物。
【請求項６】  モダフィニル化合物の溶解度が約１０〜約８０ｍｇ／ｍｌである請求項５の組成物。
【請求項７】  少なくとも一つの有機溶媒を含んでなる請求項１の組成物。
【請求項８】  有機溶媒がジエチレングリコールモノエチルエーテル、炭酸プロピレン、ジメチルイソソルビド、中鎖長モノグリセリドもしくはポリオールである請求項７の組成物。
【請求項９】  有機溶媒が１−メチル−２−ピロリジノンである請求項７の組成物。
【請求項１０】  ポリオールがグリセリン、プロピレングリコールもしくはポリエチレングリコールである請求項８の組成物。
【請求項１１】  ポリエチレングリコールが約２００〜約５０００ダルトンである請求項１０の組成物。
【請求項１２】  ポリエチレングリコールが約３００〜約２０００ダルトンである請求項１１の組成物。
【請求項１３】  ポリエチレングリコールが約３００〜約１５００ダルトンである請求項１２の組成物。
【請求項１４】  ポリエチレングリコールがＰＥＧ−３００、ＰＥＧ−４００もしくはＰＥＧ−１４５０である請求項１３の組成物。
【請求項１５】  ポリエチレングリコールがＰＥＧ−４００である請求項１４の組成物。
【請求項１６】  低級アルキルアルコール及びアルキルアリールアルコールから選択される追加溶媒をさらに含んでなる請求項７の組成物。
【請求項１７】  追加溶媒がベンジルアルコールである請求項１６の組成物。
【請求項１８】  追加溶媒が組成物の約１％〜約５０％（ｖ／ｖ）を含んでなる請求項１７の組成物。
【請求項１９】  ポリエチレングリコール及びアルキルアリールアルコールを含んでなる請求項１８の組成物。
【請求項２０】  ポリエチレングリコールがＰＥＧ−４００であり、そしてアルキルアリールアルコールがベンジルアルコールである請求項１９の組成物。
【請求項２１】  組成物が９５：５（ｖ／ｖ）ＰＥＧ−４００：ベンジルアルコールである請求項２０の組成物。
【請求項２２】  モダフィニル化合物が約１〜約１００ｍｇ／ｍｌの濃度で存在し；第一の有機溶媒がグリセリン、プロピレングリコール、ジエチレングリコールモノエチルエーテル、炭酸プロピレン、中鎖長モノグリセリド、ジメチルイソソルビド及びポリエチレングリコールであり；そして第二の有機溶媒が低級アルキルアルコールもしくはアルキルアリールアルコールである請求項１の組成物。
【請求項２３】  第一の有機溶媒がポリエチレングリコールであり、そして第二の有機溶媒がアルキルアリールアルコールである請求項２２の組成物。
【請求項２４】  第一の溶媒がＰＥＧ−４００であり、そして第二の溶媒がベンジルアルコールである請求項２３の組成物。
【請求項２５】  組成物が９５：５（ｖ／ｖ）ＰＥＧ−４００：ベンジルアルコールである請求項２４の組成物。
【請求項２６】  １もしくはそれ以上の単位用量のモダフィニル化合物を含んでなる請求項１の組成物。
【請求項２７】  １単位用量のモダフィニル化合物を含んでなる請求項２６の組成物。
【請求項２８】  単位用量が２００ｍｇである請求項２７の組成物。
【請求項２９】  単位用量が１００ｍｇである請求項２８の組成物。
【請求項３０】  モダフィニル化合物の治療的に有効な量を溶液で含んでなる、被験体における疾病もしくは疾患を処置するための製薬学的組成物。
【請求項３１】  モダフィニル化合物の治療的に有効な量を溶液で含んでなる、被験体における疾病もしくは疾患を処置するための非水性の製薬学的組成物。
【請求項３２】  眠気、疲れ、パーキンソン病、脳虚血、発作、睡眠時無呼吸、摂食障害、注意欠陥過活動性障害、認知機能障害もしくは疲労の処置；及び覚醒の促進、食欲の刺激もしくは体重増加の刺激のための請求項３１の組成物。
【請求項３３】  被験体への組成物の投与の際に、モダフィニル化合物が該被験体における約０．０５〜約３０μｇ／ｍｌの血清レベルを有する請求項３０の組成物。
【請求項３４】  モダフィニル化合物の血清レベルが約１〜約２０μｇ／ｍｌである請求項３３の組成物。
【請求項３５】  組成物が被験体への経口投与に適している請求項１の組成物。
【請求項３６】  組成物をカプセル内に被包する請求項３５の組成物。
【請求項３７】  カプセルが軟ゼラチンカプセルである請求項３６の組成物。
【請求項３８】  カプセルが硬カプセルである請求項３７の組成物。
【請求項３９】  組成物がシロップ剤もしくはエリキシル剤である請求項３５の組成物。
【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
一般式ＶＩ
【化１】
2004510813.tif 000001
（式中、
Ｒは水素、アルキル又はアルケニルであり、
Ｒ1 はベンゾチエニルである。）
で表わされる８−アザビシクロ［３．２．１］オクト−２−エン誘導体
［この８−アザビシクロ［３．２．１］オクト−２−エン誘導体は
（±）−３−（２−ベンゾチエニル）−８−Ｈ−８−アザビシクロ［３．２．１］オクト−２−エン；
（±）−３−（２−ベンゾチエニル）−８−エチル−８−アザビシクロ［３．２．１］オクト−２−エン；
（±）−８−アリル−３−（２−ベンゾチエニル）−８−アザビシクロ［３．２．１］オクト−２−エン；又は
（±）−３−（２−ベンゾチエニル）−８−シアノメチル−８−アザビシクロ［３．２．１］オクト−２−エンである。］
又はその対掌体又はその対掌体の混合物、又はそのアイソトープ又はその薬学的に許容し得る塩。
【請求項２】
請求項１記載の８−アザビシクロ［３．２．１］オクト−２−エン誘導体の治療上有効な量を、少なくとも１種の薬学的に許容し得るキャリヤー又は希釈剤と共に含有する薬学的調合物。
【請求項３】
請求項１記載の８−アザビシクロ［３．２．１］オクト−２−エン誘導体を、患者の情動障害、疾患又は病態の治療、予防又は緩和用医薬の製造に使用する方法。
【請求項４】
情動障害、疾患又は病態がうつ病、不安、強迫性障害（ＯＣＤ）、パニック障害又は苦痛である、請求項３記載の使用する方法。
【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】  5HT1aレセプターのアンタゴニストまたは部分アゴニストを含有する胃腸病の予防および治療用組成物。
【請求項２】  前記5HT1aレセプターのアンタゴニストがラセミ物質RSピンドロールまたはその塩である請求項１に記載の組成物。
【請求項３】  前記5HT1aレセプターのアンタゴニストが、請求項２に記載のエナンチオマーの一方S (-)ピンドロールまたはその塩である請求項１に記載の組成物。
【請求項４】  RS-ピンドロールもしくはS (-)ピンドロールまたはその塩が、活性物質の迅速放出を可能にする医薬投与形態である請求項１に記載の組成物。
【請求項５】  RSピンドロールもしくはS (-)ピンドロールまたはその塩が、ゆっくりとしたまたは制御した様式で活性成分を放出し、次いで、請求項４に記載のよりもより少ない頻度で活性物質の投与を可能にする医薬投与形態である請求項１に記載の組成物。
【請求項６】  胃腸病が、非−潰瘍性消化不良または過敏腸症候群または吐き気を含む自動性の化学療法関連障害として特徴付けられる請求項１に記載の組成物。
【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】  ａ）８５重量％を超えるアミロペクチン含有量を有し、該アミロペクチンの分子量が、澱粉の少なくとも８０重量％が１０〜１０,０００kDaの範囲内となるように、酸加水分解により低下されており、
ｂ）澱粉の乾燥重量１ｇ当たり多くとも５０μgのアミノ酸窒素の純度を有し；そして
ｃ）水に２５重量％を超える濃度で溶解することができる、
非経口的にヒトまたは非ヒト哺乳類に投与するための製薬上許容される澱粉。
【請求項２】  澱粉の乾燥重量１ｇ当たり多くとも２０μgのアミノ酸窒素、澱粉の乾燥重量１ｇ当たり多くとも１０μgのアミノ酸窒素、または澱粉の乾燥重量１ｇ当たり多くとも５μgのアミノ酸窒素から選択される純度を有する、請求項１に記載の製薬上許容される澱粉。
【請求項３】  ａ）８５重量％を超えるアミロペクチン含有量を有し、該アミロペクチンの分子量が、澱粉の少なくとも８０重量％が１０〜１０,０００kDaの範囲内となるように、酸加水分解により低下されており、
ｂ）澱粉の乾燥重量１ｇ当たり多くとも５０μgのアミノ酸窒素の純度を有し；そして
ｃ）ヒドロキシエチル澱粉に存在するタイプの共有結合した追加の化学基を含まない、非経口的にヒトまたは非ヒト哺乳類に投与するための製薬上許容される澱粉。
【請求項４】  澱粉の乾燥重量１ｇ当たり多くとも２０μgのアミノ酸窒素、澱粉の乾燥重量１ｇ当たり多くとも１０μgのアミノ酸窒素、または澱粉の乾燥重量１ｇ当たり多くとも５μgのアミノ酸窒素から選択される純度を有する、請求項３に記載の製薬上許容される澱粉。
【請求項５】  澱粉が請求項１〜４の何れか１項で定義される、非経口的にヒトまたは非ヒト哺乳類に投与するための生物学的活性物質の担体としての澱粉に基づく微粒子。
【請求項６】  ａ）粒子または顆粒から選択される固体形態であり、そして澱粉の乾燥重量で表して８５重量％を超えるアミロペクチン含有量を有する澱粉から出発し、
ｂ）この固体澱粉を、澱粉の表面に局在するタンパク質、脂質およびエンドトキシン物質は溶解されるが澱粉は溶解されないままであるような条件下で１回またはそれ以上の洗浄に付し、そして溶解しない物質から澱粉を分離し、
ｃ）段階ｂ）の洗浄澱粉を、水性媒質に溶解させ、澱粉溶液を形成し；そして
ｄ）段階ｃ）の澱粉溶液を、澱粉の少なくとも８０重量％が１０〜１０,０００kDaの範囲内にある分子量分布が得られるような酸加水分解による分子量低下に付することを含む
、
非経口的にヒトまたは非ヒト哺乳類に投与するための澱粉の製造方法。
【請求項７】  請求項６に記載の方法により得られる、請求項１〜４の何れか１項に記載の澱粉。